(57)【要約】【課題】心地よい打球音を提供する。【解決手段】打球音の最大音圧レベルを示す周波数Ｆ１が７０００〜９０００（Ｈｚ）であり、かつ１次の振動モードの周波数Ｆ２が５０００（Ｈｚ）以上であることを特徴とするゴルフクラブヘッド１である。【選択図】　図１
2004049559.tif 000002
【特許請求の範囲】
【請求項１】
打球音の最大音圧レベルを示す周波数Ｆ１が７０００〜９０００（Ｈｚ）であり、かつ１次の振動モードの周波数Ｆ２が５０００（Ｈｚ）以上であることを特徴とするゴルフクラブヘッド。
【請求項２】
前記１次の振動モードの周波数Ｆ２は、５０００〜７０００（Ｈｚ）であることを特徴とする請求項１記載のゴルフクラブヘッド。
【請求項３】
前記１次の振動モードの周波数Ｆ２は、５０００〜６０００（Ｈｚ）であることを特徴とする請求項１記載のゴルフクラブヘッド。
【請求項４】
シャフト軸線を第１の垂直面内に位置させて規定のライ角で傾けかつフェース面を規定のフェース角に合わせてソール部を水平面に接地させるとともに、前記第１の垂直面と直角な第２の垂直面のうち、フェース面の下縁と、該下縁を通る水平線がバックフェース側でヘッド外面に交わるソール後端点との間の水平方向の距離であるソール長さＬが最大となる第１の基準断面において、
前記下縁とソール後端点との間のヘッド外面は、前記水平面に向かって凸となる滑らかな円弧状をなすとともに、
前記ソール長さＬと、前記ソール部が前記水平面に最も近接する最下方点と前記水平線との間の垂直距離であるソール突出高さｈ１との比（ｈ１／Ｌ）を０．０２〜０．１としたことを特徴とする請求項１乃至３のいずれかに記載のゴルフクラブヘッド。
【請求項５】
シャフト軸線を第１の垂直面内に位置させて規定のライ角で傾けかつフェース面を規定のフェース角に合わせてソール部を水平面に接地させるとともに、前記第１の垂直面と平行な第３の垂直面のうち、トウ側のソール端とヒール側のソール端とを結ぶ直線の長さであるソール巾Ｗが最大となる第２の基準断面において、
前記ソール部の外面は、前記水平面に向かって凸となる滑らかな円弧状をなすとともに、
前記ソール巾Ｗと、前記ソール部が前記水平面に最も近接する最下方点と前記直線との間の最短距離であるソール突出高さｈ２との比（ｈ２／Ｗ）を０．１〜０．２としたことを特徴とする請求項１乃至４のいずれかに記載のゴルフクラブヘッド。
【発明の詳細な説明】
【０００１】
【発明の属する技術分野】
本発明は、打球音を向上しうるゴルフクラブヘッドに関する。
【０００２】
【従来の技術及び発明が解決しようとする課題】
従来、ゴルフクラブヘッドの開発は、飛距離の増大、方向性の安定化などの打球性能を主眼として行われてきたが、近年では打球音といった感性の部分についても種々研究がなされている。例えば特開２００１−２３１８９２号公報や特開２００１−２３１８９３号公報には、打球音の音圧レベルを規定することが記載されている。また特開平１１−２９９９３７号公報には、ヘッドの内部に音響振動体や音響調整部材を配設して打球音を改善することが記載されている。さらに、特開平１０−１７９８１７号公報には、フェース材料に所定の熱処理などを施すことによって、打球音残響性を高めることが記載されている。
【０００３】
発明者らは、近年の大型ヘッドの打球音を分析して種々の実験を行ったところ、打球音の最大音圧レベルを示す周波数Ｆ１と、１次の振動モードの周波数Ｆ２とをそれぞれ一定範囲に規制すると、優れた打球音が得られることを見出した。
【０００４】
本発明は、以上のような問題点に鑑み案出なされたもので、多くのゴルファにとって心地良い打球音を得ることができるゴルフクラブヘッドを提供することを目的としている。
【０００５】
【課題を解決するための手段】
本発明のうち請求項１記載の発明は、打球音の最大音圧レベルを示す周波数Ｆ１が７０００〜９０００（Ｈｚ）であり、かつ１次の振動モードの周波数Ｆ２が５０００（Ｈｚ）以上であることを特徴とするゴルフクラブヘッドである。
【０００６】
前記打球音は、ゴルフクラブヘッドにシャフトを装着してゴルフクラブを製造し、図１０に示すようにテストゴルファｇによってゴルフボールｂを実打する打撃テストを行なって採取する。打撃テストを行う場所は、屋内、屋外を問わないが、好適には屋外としかつ半径５０ｍ以内に音を反射させるような遮蔽物がない無風の状況で行うのが好ましい。またテストゴルファｇにも特に制限は無いが、好適には身長１５０〜１９０ｃｍ程度、打球時のヘッドスピードが３８〜４８ｍ／ｓ程度の標準的なアベレージゴルファが好ましい。ゴルフボールは、ゴルフ競技に使用できるものであれば特に制限はない。なお打球音は、ヘッドスピードの大小、スイングのくせ、ゴルフボール（糸巻き、ソリッドの別）などによっては、実質的に変化しない。一方、ボールを打撃するフェース部の位置によっては、打球音は変化するため、打点位置が残るショットマークなどをフェース面に貼着し、フェース中心から半径５ｍｍの円の中に打点の中心が入っている場合の打球音を採取する。また、ショットマークも実質的に打球音には影響がない。
【０００７】
打球音は、騒音計ｍにより採取する。騒音計ｍの設置位置は、目標飛球線方向を通る垂直面ａを介してテストゴルファｇと反対側の向き合う位置でかつテストゴルファｇの耳元の高さとする。また騒音計ｍのマイクロフォン部ｍ１をゴルフボールｂに向けるとともに、このマイクロフォン部ｍ１の先端からゴルフボールｂまでの直線距離が１６０ｃｍとなるように調節する。１６０ｃｍとしたのは、ゴルファーがアドレスした際、平均的な身長の人の耳の位置とボールの位置との距離に合わせたためである。また打球音の音圧校正は、精密音圧発生器（２５０Ｈｚ、１１４ｄＢ）にて行った。なお周波数補正は行わない。
【０００８】
また騒音計から採取された音は、記憶媒体に記録される。本例ではデジタル録音とし、ＤＡＴやハードディスクなどの記憶媒体に記録される。デジタル録音は、例えばサンプリング周波数４４ｋＨｚ　、周波数帯域０〜２０ｋＨｚ　、量子化ビット１６ビットとした。録音時間は打球音が発生する時間（大凡０．０５秒）よりも長ければ良く、通常はスイング開始からスイング終了までの連続した３ないし４秒間に設定するのが望ましい。
【０００９】
また録音された打球音は、信号処理装置を用いて周波数分析が行われ、図１１に示すような打球音パワースペクトルを得ることができる。パワースペクトルから打球音の最大音圧レベルを示す周波数Ｆ１を読み取ることができる。表１には、本実施形態で使用した計測機器の一覧を示す。
【００１０】
【表１】
2004049559.tif 000003
【００１１】
また打球音の１次の振動モードを示す周波数Ｆ２については、モーダル解析によって求める。モーダル解析は、図１２に示すように、シャフトを除いたヘッド１のフェース面２の中心ＦＣに加速度ピックアップＰａを接着剤により固定するとともに、前記フェース面２の中心ＦＣを通る垂直面Ｘとヘッド外面とが交わるヘッド周上にこのヘッド周上に沿う等長さＳで複数の測定点Ｋを設定し、この測定点ＫをそれぞれインパクトハンマーＩＨで打撃する。本例では等長さＳを２０ｍｍとし、ヘッド周上に１７個の測定点Ｋを設けたが、測定点Ｋの数は特に限定されず１０〜３０個程度とすれば良い。なおヘッド１は、ネック部７に設けたシャフト差込孔７ａの軸中心線ＣＬを第１の垂直面ＶＰ１（図３に示す）内に位置させて規定のライ角α（図１に示す）で傾けるとともにフェース面２を前記第１の垂直面ＶＰ１に対して規定のフェース角β（図３に示す）で傾けたヘッド測定状態にある。また前記垂直面Ｘは第１の垂直面ＶＰ１に対して直角とする。
【００１２】
インパクトハンマーＩＨで、一つの測定点Ｋを叩くことによりヘッド１に振動を入力し、その出力（周波数応答）をフェース面２の中心ＦＣに設けた加速度ピックアップＰａで計測する。このような計測を全ての測定点Ｋにて行う。そして計測された信号は解析されて図１３に示すような周波数伝達関数が得られる。この周波数伝達関数から１次の振動モード（ピークの中で周波数が最も小さいもの）の周波数Ｆ２を読みとることができる。なお周波数伝達関数の測定に用いた機器の一例を表２に示す。
【００１３】
【表２】
2004049559.tif 000004
【００１４】
また請求項２記載の発明は、前記１次の振動モードの周波数Ｆ２は、５０００〜７０００（Ｈｚ）であることを特徴とする請求項１記載のゴルフクラブヘッドである。
【００１５】
また請求項３記載の発明は、前記１次の振動モードの周波数Ｆ２は、５０００〜６０００（Ｈｚ）であることを特徴とする請求項１記載のゴルフクラブヘッドである。
【００１６】
また請求項４記載の発明は、シャフト軸線を第１の垂直面内に位置させて規定のライ角で傾けかつフェース面を規定のフェース角に合わせてソール部を水平面に接地させるとともに、前記第１の垂直面と直角な第２の垂直面のうち、フェース面の下縁と、該下縁を通る水平線がバックフェース側でヘッド外面に交わるソール後端点との間の水平方向の距離であるソール長さＬが最大となる第１の基準断面において、前記下縁とソール後端点との間のヘッド外面は、前記水平面に向かって凸となる滑らかな円弧状をなすとともに、前記ソール長さＬと、前記ソール部が前記水平面に最も近接する最下方点と前記水平線との間の垂直距離であるソール突出高さｈ１との比（ｈ１／Ｌ）を０．０２〜０．１としたことを特徴とする請求項１乃至３のいずれかに記載のゴルフクラブヘッドである。
【００１７】
また請求項５記載の発明は、シャフト軸線を第１の垂直面内に位置させて規定のライ角で傾けかつフェース面を規定のフェース角に合わせてソール部を水平面に接地させるとともに、前記第１の垂直面と平行な第３の垂直面のうち、トウ側のソール端とヒール側のソール端とを結ぶ直線の長さであるソール巾Ｗが最大となる第２の基準断面において、前記ソール部の外面は、前記水平面に向かって凸となる滑らかな円弧状をなすとともに、前記ソール巾Ｗと、前記ソール部が前記水平面に最も近接する最下方点と前記直線との間の最短距離であるソール突出高さｈ２との比（ｈ２／Ｗ）を０．１〜０．２としたことを特徴とする請求項１乃至４のいずれかに記載のゴルフクラブヘッドである。
【００１８】
【発明の実施の形態】
以下本発明の実施の一形態を図面に基づき説明する。
図１には、本実施形態のゴルフクラブヘッド（以下、単に「ヘッド」ということがある。）１を規定のライ角α、フェース角β（図３に示す）として水平面ＨＰに接地させたヘッド測定状態の正面図、図２はそれをトウ側から見た側面図、図３は図１の平面図、図４は図１をソール側から見た底面図をそれぞれ示している。
【００１９】
本実施形態のヘッド１は、ドライバー（＃１）などのウッド型をなすものが例示されている。該ヘッド１は、ボールを打球する面であるフェース面２を外表面とするフェース部３と、フェース面２の上縁２ａに連なりヘッド上面をなすクラウン部４と、フェース面２の下縁２ｂに連なりヘッド底面をなすソール部５と、クラウン部４とソール部５との間を継ぎフェース面２のトウ側縁２ｃからバックフェースを通りフェース面２のヒール側縁２ｄにのびるサイド部６と、フェース部３とクラウン部４とサイド部６とのヒール側の交わり部の近傍に配された本例では筒状のネック部７とを含む。
【００２０】
前記ネック部７は、図示しないシャフトの一端が装着される円形のシャフト差込孔７ａが内部に形成され、ヘッド１を規定のライ角αに傾ける際にはこのシャフト差込孔７ａの軸中心線ＣＬをシャフト軸線と仮定して行う。すなわち、シャフト差込孔７ａの軸中心線ＣＬを第１の垂直面ＶＰ１内に位置させて規定のライ角αで傾ける。なおフェース角βは、図３に示すように、後述するフェース面の中心ＦＣを通る水平な接線Ｎとこの第１の垂直面ＶＰ１との挟む角度とする。
【００２１】
ヘッド１は、金属材料から形成され、例えばチタン、チタン合金、ステンレス、アルミニウム合金などの材料が好適に使用される。またヘッド１は、例えばロストワックス精密鋳造法、鍛造、又はプレス加工などを用いて２以上のパーツを形成し、これらを溶接等により接合することで内部を中空として製造される。この中空部は、そのまま空洞とされていても良いし、全部ないし一部に発泡樹脂等を充填することもできる。ヘッド１のヘッド体積は、特に限定されないが、慣性モーメントの向上とスイートエリアの増大を図るべく、例えば３００〜５００ｃｍ３　、より好ましくは３１０〜４００ｃｍ３　程度の大型ヘッドとして好ましく形成される。
【００２２】
本発明のヘッド１は、打球音の最大音圧レベルを示す周波数Ｆ１が７０００〜９０００（Ｈｚ）であり、かつ１次の振動モードの周波数Ｆ２が５０００（Ｈｚ）以上に設定される。発明者らの種々の実験の結果、このような規定を満たす打球音は、多くのゴルファにとって心地良く聞こえ、打球フィーリングを高め得ることが分かった。感覚的な表現では、打球音が従来に比してより高音化されかつ鋭くなる。従来市販されている金属製の大型ヘッドを種々テストしたところ、打球音の最大音圧レベルを示す周波数Ｆ１は、いずれも７０００Ｈｚよりも小さく、概ね４０００〜６６００Ｈｚ程度、また１次の振動モードを示す周波数Ｆ２は５０００Ｈｚ未満で、具体的には３１００〜４６００Ｈｚ程度に設定されている。
【００２３】
発明者らは、近年の多くのゴルファが比較的高音の打球音を好む傾向があること、そしてこのような打球音を得るためには、単に前記周波数Ｆ１を従来に比して高周波数帯域に移行させるのみならず、１次の振動モードを示す周波数Ｆ２についても高周波数帯域に移行することが必要であることを確かめ得た。
【００２４】
前記周波数Ｆ１が７０００Ｈｚ未満の場合には、従来の打球音と大差がなく、逆に９０００Ｈｚを超えると高周波音が発生しやすく耳障りな音へ変化しやすい。特に好ましくは周波数Ｆ１を７５００〜８５００Ｈｚ、さらに好ましくは８０００〜８５００Ｈｚとするのが好ましい。なおこの周波数Ｆ１を示す最大音圧レベルの絶対値については特に限定されないが、小さすぎると他の周波数帯域の音圧レベルとの差が小さくなってノイズ化する傾向があり、逆に大きすぎても人間の耐えられる可聴領域を超えるなど不快感を与える傾向がある。このような観点より、前記周波数Ｆ１を示す最大音圧レベルは、好ましくは６０〜１３０ｄＢ、さらに好ましくは７０〜１１０ｄＢ、特に好ましくは８０〜１１０ｄＢであるのが望ましい。
【００２５】
またヘッドには、複数の振動モードが存在しており、その中で最も小さな振動数の共振変形状態（変形モード又は振動モード）を１次の振動モードと呼ぶ。そして、この１次の振動モードが５０００Ｈｚ未満である従来のヘッドでは、打球音のパワースペクトルの中にも５０００Ｈｚ未満のバンド幅に強いピークを持つ傾向が強いことが分かった。このようなピークは、最大音圧レベルを高周波域に移行させても、打球音を鈍くする傾向がある。一方、図１３のように周波数Ｆ２を５０００Ｈｚ以上とした本発明のヘッド１では、図１１の打球音パワースペクトルから明らかなように、５０００Ｈｚ未満に強いピークが全く現れていない。これは打球音の鈍化防止に役立つ。特に好ましくは、前記１次の振動モードの周波数Ｆ２を、５０００〜７０００Ｈｚ、より好ましくは５０００〜６０００Ｈｚに設定することが望ましい。
【００２６】
このような打球音を生じさせるヘッド１は、例えば次のようにして製造することが可能である。先ずヘッド１を前述のヘッド測定状態とするとともに、図３に示すように、第１の垂直面ＶＰ１と直角な第２の垂直面ＶＰ２（この垂直面ＶＰ２は多数存在し、その一例を図５に示す）のうち、フェース面２の下縁２ｂと、該下縁２ｂを通る水平線ＨＬがバックフェース側でヘッド外面に交わるソール後端点５ｂとの間の水平方向の距離であるソール長さＬが最大となる第１の基準断面ＶＰ２ｍを特定する。そして、この第１の基準断面ＶＰ２ｍにおいて、前記下縁２ｂとソール後端点５ｂとの外面は、水平面ＨＰに向かって凸となる滑らかな円弧状で形成するとともに、ソール長さＬと、ソール突出高さｈ１との比（ｈ１／Ｌ）を０．０２〜０．１の範囲で設定するのが良い。なおここで言うソール突出高さｈ１は、ソール部５が前記水平面ＨＰに最も近接する最下方点５Ｐと前記水平線ＨＬとの間の垂直距離である。
【００２７】
第１の基準断面ＶＰ２ｍでは、前記ソール長さＬが最も大となり、この断面形状は打球時の撓みないし振動に大きく影響を与える。このために本実施形態では、第１の基準断面ＶＰ２ｍにおけるソール部５の外面形状を規制している。前記外面形状は、ボールを打球した際にヘッドの振動を最適化し、例えば周波数Ｆ１を７０００〜９０００Ｈｚの範囲に設定するのに役立つ。前記比（ｈ１／Ｌ）が０．０２未満では、ソール外面の曲率が小さくなって打球時にヘッドが振動しやすくなる。これは、前記周波数Ｆ１を７０００Ｈｚ未満に移行させがちとなるため好ましくない。
【００２８】
逆に前記比（ｈ１／Ｌ）が０．１を超えると、打球時のヘッド１の振動が過度に抑制される。これは、周波数Ｆ１を９０００Ｈｚを超える高周波数域へと移行させる傾向がある。特に好ましくは、前記比（ｈ１／Ｌ）を０．０５〜０．９５、さらに好ましくは０．１０〜０．９０とするのが好適である。
【００２９】
またヘッド測定状態において、図３に示すように、第１の垂直面ＶＰ１と平行な第３の垂直面ＶＰ３（この垂直面ＶＰ３は多数存在し、その一例を図６に示す）のうち、トウ側のソール端５ｔとヒール側のソール端５ｈとを結ぶ直線Ｖの長さであるソール巾Ｗが最大となる第２の基準断面ＶＰ３ｍを特定する。そして、この第２の基準断面ＶＰ３ｍにおけるソール部５の外面は、前記水平面ＨＰに向かって凸となる滑らかな円弧状で形成されるとともに、ソール巾Ｗとソール突出高さｈ２との比（ｈ２／Ｗ）を０．１〜０．２に設定することが望ましい。なおここでのソール突出高さｈ２は、ソール部５が前記水平面ＨＰに最も近接する最下方点５Ｐと前記直線Ｖとの間の最短距離である。なお、ソール端５ｔ、５ｈが明瞭に特定できないときは、第３の垂直面ＶＰ３のトウ、ヒール方向の最大巾Ｗｍａｘ　の０．８８倍となる巾Ｗの位置をソール端５ｔ、５ｈとして定める。このとき、ソール端５ｔ、５ｈは夫々水平面ＨＰから同高さとする。
【００３０】
発明者らの実験の結果、第２の基準断面ＶＰ３ｍにおけるソール部５の形状は、１次の振動モードの周波数に影響を与えやすいことが判明している。すなわち、前記比（ｈ２／Ｗ）が０．１未満では、ソール部５の外面の曲率が小さくなって打球時にヘッドが振動しやすくなる。これは、前記周波数Ｆ２を５０００Ｈｚ未満に移行させがちとなるため好ましくない。逆に前記比（ｈ２／Ｗ）が０．２を超えると、構えた際にソール部５を地面に接地させたときにトウ、ヒール方向で安定せず、構えずらくなる。特に好ましくは、前記比（ｈ２／Ｗ）を０．１１〜０．１９、さらに好ましくは０．１２〜０．１８とし、前記比（ｈ１／Ｌ）よりも大とすることが特に有効である。
【００３１】
なお、この第１ないし第２の基準断面ＶＰ２ｍ、ＶＰ３ｍにおけるソール部５の外面形状は、円弧状であるから、単一の円弧で形成されるもの、或いは曲率半径が異なる複数の円弧をつなげて形成されるもの、さらには部分的に円弧を用いたものなど、種々の態様で形成しうるのは言うまでもない。
【００３２】
また上述のように、比（ｈ１／Ｌ）、（ｈ２／Ｗ）を規制したことにより、本例ではソール部５がほぼ球面状で突出するものを例示するが、例えば図７に示すように、前記第１ないし第２の基準断面近傍だけを部分的に突出させることにより、十字状の膨出部１０を形成するものでも良い。このようなヘッド１においても、打球音を向上させることができる。
【００３３】
また打球時のヘッド１の振動を最適化する上で、ソール部５の厚さを規定することも有効である。図５、図６において、ソール部５の厚さｔ１は、例えば０．５〜４．０ｍｍ、より好ましくは０．８〜２．０ｍｍ、さらに好ましくは０．９〜１．５ｍｍとするのが望ましい。前記厚さｔ１が、０．５ｍｍ未満であると、ソール部５の剛性が低下して打球時に振動し易くなり、逆に４．０ｍｍを超えると、振動が過度に抑制されて打球音の著しい高音化を招きやすくなる。なおソール部５の厚さｔ１は、クラウン部４の厚さｔ２とサイド部６の厚さｔ３よりも大としている。クラウン部４の厚さｔ２は、例えば０．４５〜３．０ｍｍ、より好ましくは０．７５〜１．８ｍｍとし、またサイド部６の厚さｔ３は、例えば０．４５〜３．０ｍｍ、より好ましくは０．７５〜１．８ｍｍとすることが望ましい。
【００３４】
本発明の他の実施形態として、例えば、図８、図９に分解して示すように、前記第１の基準断面ＶＰ２ｍ及び／又は第２の基準断面ＶＰ３ｍに沿って、ソール部５の厚さを増したリブ状部１４をヘッド１に設けることによって、ソール部５の剛性を最適化することもできる。この場合、ソール部５の外面形状は平坦であっても良い。該リブ状部１４は、本例では第１の基準断面ＶＰ２ｍに沿ってソール部内面をのびる第１のリブ状部１２と、前記第２の基準断面ＶＰ３ｍに沿ってソール部内面をのびる第２のリブ状部１３とを含むものが例示される。図８の態様では、各リブ状部１２、１３がそれぞれ矩形断面の幅広状をなすが、図９のものでは、それぞれが小巾かつ複数本のもので構成されたものが示されている。
【００３５】
以上本発明の実施形態について説明したが、本発明のゴルフクラブヘッドは、打球音が上述の規定に適合すれば良く、そのための具体的な形状は、例示の形態に限定されることなく種々の態様が採用できるのは言うまでもない。
【００３６】
【実施例】
表３の仕様に基づいて各種のウッド型のゴルフクラブヘッドを試作するととともに、これらに共通のカーボンシャフト（フレックスＳ）を装着して打球音を計測し、テスターによる官能評価を行った。なお打球音の周波数Ｆ１と１次の振動モードの周波数、Ｆ２の測定方法は前述の通りとした。また、打球音の官能評価は、ＤＡＴに録音した打球音をＷＡＶＥファイルに変換し、スピーカを通して再生した音を２０人のアベレージゴルファ（男性１３人、女性７人）に聞いてもらい、各自の官能によって「心地よさ」、「好み」をそれぞれ５点法で評価し、総合点数で評価した。満点は２００点（１０点／人×２０人）であり、特定が高いほど良好であることを示す。またヘッドの共通仕様は次の通りである。
ヘッド体積：３１０ｃｍ３　
ヘッド質量：１８５ｇ
ヘッド材料：Ｔｉ−６Ａｌ−４Ｖ
ロフト角　　１２度
フェース角　１．０度
ソール長さＬ：８５ｍｍ
ソール巾：１００ｍｍ
クラウン部の厚さ１．０ｍｍ、サイド部の厚さ１．２ｍｍ、フェース部の厚さ２．７ｍｍ
テストの結果などを表３に示す。
【００３７】
【表３】
2004049559.tif 000005
【００３８】
テストの結果、実施例のものは、比較例と比べていずれも良好な打球音が得られていることが確認できる。
【００３９】
【発明の効果】
上述したように、本発明のゴルフクラブヘッドでは、打球音の最大音圧レベルを示す周波数Ｆ１を７０００〜９０００（Ｈｚ）とし、かつ１次の振動モードの周波数Ｆ２を５０００（Ｈｚ）以上としたことにより、高音でかつ心地よい打球音を提供することができ、打球フィーリングを向上しうる。
【００４０】
また請求項３ないし４記載の発明のように、ヘッドのソール部の形状を限定することによって、構造を複雑化することなく心地よい打球音を生じるゴルフクラブヘッドを提供しうる。
【図面の簡単な説明】
【図１】本発明の一実施形態を示すヘッド測定状態での正面図である。
【図２】そのトウ側から見た側面図である。
【図３】図１の平面図である。
【図４】図１の底面図である。
【図５】第１の基準断面のヘッド断面図である。
【図６】第２の基準断面のヘッド断面図である。
【図７】本発明の他の実施形態を示す底面から見たヘッドの斜視図である。
【図８】本発明の他の実施形態としてヘッドの内部を示す分解斜視図である。
【図９】本発明の他の実施形態としてヘッドの内部を示す分解斜視図である。
【図１０】打球音の測定方法を説明する線図である。
【図１１】打球音のパワースペクトルである。
【図１２】（Ａ）、（Ｂ）は、ヘッドの１次の振動モードの測定方法を説明する正面図とそのＸ断面図である。
【図１３】ヘッドの周波数伝達関数を示すグラフである。
【符号の説明】
１　ゴルフクラブヘッド
２　フェース面
３　フェース部
４　クラウン部
５　ソール部
６　サイド部
７　ネック部
７ａ　シャフト差込孔
Ｆ１　打球音の最大音圧レベルを示す周波数
Ｆ２　ヘッドの１次の振動モードの周波数
ＶＰ１　第１の垂直面
ＶＰ２ｍ　第１の基準断面
ＶＰ３ｍ　第２の基準断面
【図１】
2004049559.tif 000006
【図２】
2004049559.tif 000007
【図３】
2004049559.tif 000008
【図４】
2004049559.tif 000009
【図５】
2004049559.tif 000010
【図６】
2004049559.tif 000011
【図７】
2004049559.tif 000012
【図８】
2004049559.tif 000013
【図９】
2004049559.tif 000014
【図１０】
2004049559.tif 000015
【図１１】
2004049559.tif 000016
【図１２】
2004049559.tif 000017
【図１３】
2004049559.tif 000018